(57)【要約】      （修正有）【課題】コンパクトで使い勝手の良いまつ毛エクステンションの収容ケースを提供する。【解決手段】まつ毛エクステンション収容ケースは、透明な合成樹脂板を折り曲げて形成した角筒状をなした鞘体１２と、この鞘体内にスライド自在に挿入される板紙を折り曲げて形成した樋状をなした紙製の本体１４から構成し、本体１４は、鞘体１２から引き出した状態において平面状に展開出来る様にし、この本体１４の表面上に各種サイズのまつ毛エクステンションを分類整理して着脱自在に仮固定する。【選択図】図２
0003232162.tif 000002
【実用新案登録請求の範囲】
【請求項１】
透明な合成樹脂板を折り曲げて形成した角筒状をなした鞘体（１２）と、この鞘体（１２）内にスライド自在に挿入される板紙を折り曲げて形成した樋状をなした紙製の本体（１４）からなるまつ毛エクステンション収容ケースであって、前記本体（１４）の一部を構成する有底角筒状をなした基端部（１）の開口側底面の側縁（２）からは、この側（２）の幅（A）と同じ幅を有する長方形をなした収容部本体（３）が、この収容部本体３の一対の長手方向側縁（４）からは前記基端部（１）の一対の側縁（５）の幅（B）と同じ幅の収容部側片（６）が起伏自在にそれぞれ延設されていると共に、収容部本体（３）の底面の開放端側の端縁７には、前記基端部（１）の一対の側縁（５）の幅（B）と同じ幅の四角形状の蓋板（９）が、この蓋板（９）の一対の側縁（１０）からは舌片状の側板（１１）がそれぞれ起伏自在に延設されており、一対の収容部側片（６）、蓋材（９）、側材（１１）がそれぞれ内側に折り曲げられて樋状を呈した状態で角筒状をなした鞘体（１２）に挿入されていると共に、収容部本体３と収容部側片（６）には、それぞれ仕様の異なるまつ毛エクステンション（１３）が分類されて、その根元部分が着脱自在に仮固定されていることを特徴とするまつ毛エクステンション収容ケース。
【考案の詳細な説明】
【技術分野】
【０００１】
この考案は、まつ毛エクステンションと称される仮毛の収容ケース、詳しくは、各種まつ毛エクステンションを効率よく分類して収容出来るコンパクトなまつ毛エクステンション収容ケースに関する。
【背景技術】
【０００２】
地まつ毛専用の接着剤で地まつ毛に固定される化学繊維製のまつ毛エクステンションと称される仮毛は、つけまつ毛の様に瞼や皮膚に直接接着するものではないので、瞼や皮膚に負担をかけず、ボリューム感のある自然な仕上がりが期待出来るとして、従来のつけまつ毛に代わり、近年大いに普及している。
【先行技術文献】
【特許文献】
【０００３】
【特許文献１】なし
【非特許文献】
【０００４】
【非特許文献１】なし
【考案の開示】
【考案が解決しようとする課題】
【０００５】
まつ毛エクステンションには、様々なカールの角度、太さ、長さなど、仕様の異なるものがあり、専用の技術者が、顧客の目元に合う様に、それらを適宜選択し、複数を組合わせて施術している。
つまり、まつ毛エクステンションの施術には、様々な種類のまつ毛エクステンションを用意しておくことが必要であり、効率的な施術のためには様々の種類のまつ毛エクステンションが必要に応じて迅速簡単に取り出される様、整理されている必要がある。
【０００６】
この為、従来においては各種まつ毛エクステンションを仕様毎に並列させ、それぞれの根元部分にシールを貼り、それを分類して台紙に貼着し、これをプラスチック製のプレート上に平置きし、施術時に必要なまつ毛エクステンションを適宜ツイーザーで摘み上げる様にしていた。
【０００７】
又、このプラスチック製のプレートは、プラスチック製の箱状のケースに収容出来る様になっており、まつ毛エクステンションの保管や運搬は、このケースにプラスチック製のプレートを収容した状態で行う様になっていた。
【０００８】
しかしながら、この従来のまつ毛エクステンションの整理保管方法では、まつ毛エクステンションはプレート上に平面的に平置きされるので、まつ毛エクステンションのサイズに比べ、大きな面積のプレートが必要であり、コンパクト性に欠け、保管や運搬に不便であった。又、プレート及びこのプレートを収容するケースはいずれもプラスチック製であり、昨今のプラスチックゴミ減量化の動きにも逆行し、地球環境保全の観点からも、好ましいものではなかった。
【０００９】
本考案者は、まつ毛エクステンションの整理保管に関する上記問題点を解決すべく鋭意研究を行った結果、多種多様なまつ毛エクステンションをコンパクトに効率よく整然と収容出来、施術の際のピックアップも容易で、プラスチックゴミ減量化の動きにも適う、便利なまつ毛エクステンション収容ケースを開発することに成功し、本考案としてここに提案するものである。
【課題を解決するための手段】
【００１０】
透明な合成樹脂板を折り曲げて形成した角筒状をなした鞘体と、この鞘体内にスライド自在に挿入される板紙を折り曲げて形成した樋状をなした紙製の本体からなるまつ毛エクステンション収容ケースであって、前記本体の一部を構成する有底角筒状をなした基端部の開口側底面の側縁からは、この側縁の幅と同じ幅を有する長方形をなした収容部本体が、この収容部本体の一対の長手方向側縁からは前記基端部の一対の側縁の幅と同じ幅の収容部側片が起伏自在にそれぞれ延設されていると共に、収容部本体の底面の開放端側の端縁には、前記基端部の一対の側縁の幅と同じ幅の四角形状の蓋板が、この蓋板の一対の側縁からは舌片状の側板がそれぞれ起伏自在に延設されており、一対の収容部側片、蓋材、側材がそれぞれ内側に折り曲げられて樋状を呈した状態で角筒状をなした鞘体に挿入される様にすると共に、収容部本体と収容部側片には、それぞれ仕様の異なるまつ毛エクステンションが分類され、その根元部分が着脱自在に仮固定される様にして、上記課題を解決した。
【考案の効果】
【００１１】
保管や運搬の際には、本体の収容部側片、蓋板、側板を上方に折り曲げ、樋状にして鞘体内に押し込み、その内部に収容する。
一方、まつ毛エクステンションの施術を行おうとするときは、本体を鞘体から引き出し、収容部側片、蓋板、側板をそれぞれ外側に倒して、本体を平面状に展開する。
【００１２】
この状態においては、一対の収容部側片と収容部本体の表面上にそれぞれ分類整理されて仮固定されているまつ毛エクステンションは平面状に整然と並べられていることになり、施術者は施術中に、必要とするまつ毛エクステンションをツイーザーで掴み上げ、施術に用いる。
【００１３】
この様に、保管や運搬の際には、本体は樋状に折り曲げられて鞘体内に収容されるので、コンパクトになると共に、施術の際には、平面状に展開されるので、分類整理されたまつ毛エクステンションの掴み上げを円滑に行うことが出来、まつ毛エクステンションの地まつ毛への固定作業の能率向上に資する効果を有する。
又、本体は紙製であるので、プラスチックゴミ低減化の要求にも応えることが出来、地球環境保全の面からも非常に有効である。
【図面の簡単な説明】
【００１４】
【図１】この考案に係るまつ毛エクステンション収容ケースの一実施例の斜視図
【図２】同じく、その本体１４を展開した状態の斜視図
【図３】同じく、本体１４を鞘体１２に差し込んだ状態の斜視図
【図４】同じく、本体１４を鞘体１２から完全に引き出した状態の斜視図
【図５】同じく、本体１４を半分だけ鞘体１２から引き出した状態の斜視図
【考案を実施するための形態】
【００１５】
透明な合成樹脂板を折り曲げて形成した角筒状をなした鞘体と、この鞘体内にスライド自在に挿入される板紙を折り曲げて形成した樋状をなした紙製の本体からまつ毛エクステンション収容ケースを構成し、本体は、鞘体から引き出した状態において平面状に展開出来る様にし、この本体の表面上に各種サイズのまつ毛エクステンションを分類整理して着脱自在に仮固定する様にした点に、最大の特徴が存する。
【実施例】
【００１６】
以下、図１乃至図５を参照しながら、この考案に係るまつ毛エクステンション収容ケースの一実施例について説明する。
図中、１２は透明な合成樹脂板を折り曲げて形成した角筒状をした鞘体、１４は前記鞘体１２内にスライド自在に挿入される、板紙を折り曲げて形成された樋状をなしたまつ毛エクステンション収容ケースの本体であり、このまつ毛エクステンション収容ケースは鞘体１と紙製の本体１４とから構成されている。
【００１７】
又、１は本体１４を構成する有底角筒状をなした基端部であり、図２に示す様に、その開口側底面の側縁２からは、この側縁２の幅Aと同じ幅を有する長方形をなした収容部本体３が延設されており、この収容部本体３の一対の長手方向側縁４からは、前記基端部１の一対の側縁５の幅Bと同じ幅の収容部側片６が起伏自在に延設されている。
【００１８】
そして、この収容部側片６の長手方向中央付近には、その外側縁１７から収容部本体３の長手方向側縁４に向ってミシン目１６が入れられており、このミシン目１６によって収容部側片６を前後２部分に切り離すことが出来る様になっている。
【００１９】
一方、収容部本体３の底面の開放端側の端縁７には、前記基端部１の一対の側縁５の幅Bと同じ幅の四角形状の蓋板９が起伏自在に延設されており、この蓋板９の一対の側縁１０からは、舌片状の側板１１が起伏自在に延設されている。
【００２０】
又、収容部本体３に接続した本体基部１の底面には、略半円形を呈した切り欠き１８が、その円弧部分を収容部本体３の方向を向けて形成されていると共に、四角柱状をなした鞘体１２の一方の開口端寄りの底面には、前記切り欠き１８に係合可能な円弧状の舌片１９が形成されている。
【００２１】
そして、図２に示す様に、一対の収容部側片６、蓋材９、側板１１がそれぞれ内側に折り曲げられて樋状を呈した状態で、図３に示す様に、角筒状をなした鞘体１２に挿入されており、収容部本体３と収容部側片６には、それぞれ仕様の異なるまつ毛エクステンション１３が分類されて、その根元部分が着脱自在に仮固定されている。
【００２２】
この実施例は上記の通りの構成を有するものであり、本体１４の一対の収容部側片６と収容部本体３の表面には、それぞれ分類整理されたまつ毛エクステンション１３の根元部分が着脱自在に仮固定されており、保管や運搬の際には、図１に示す様に、本体１４の収容部側片６、蓋板９、側板１１を上方に折り曲げ、樋状にして鞘体１２内に押し込み、図３に示す様に、その内部に収容する。
一方、まつ毛エクステンションの施術を行おうとするときは、図４に示す様に、本体１４を鞘体１２から引出し、収容部側片６、蓋板９、側板１１をそれぞれ外側に倒して、本体１４を平面状に展開する。
【００２３】
この状態においては、一対の収容部側片６と収容部本体３の表面上に分類整理されて仮固定されているまつ毛エクステンション１３は平面状に整然と並べられていることになり、施術者は施術中に必要とするまつ毛エクステンションをツイーザーで掴み取り、施術に用いる。
【００２４】
なお、本体１４の本体基部１の底面には略半円形を呈した切り欠き１８が、鞘体１２の一方の開口端寄りの側面には、円弧状の舌片１９がそれぞれ形成されているので、本体１４を鞘体１２から引き出そうとするとき、図４に示す様に、収容部本体３と収容部側片６とが鞘体１２から露出した状態になると、切り欠き１８に舌片１９が喰い込み、鞘体１２が本体１４から抜け落ちるのを防ぐ。
【００２５】
又、収容部側片６の長手方向中央付近には、ミシン目１６が入れられているので、このミシン目１６によって、収容部側片６を２部分に切り離せば、施術の際に、図５に示す様に、収容部側片６を半分ずつ展開させることも可能で、よりコンパクトな状態で施術に用いることも可能である。
【００２６】
この様に、この実施例に係るまつ毛エクステンション収容ケースにおいては、保管や運搬の際には、本体１４は樋状に折り曲げられて鞘体１２内に収容されるので、コンパクトになると共に、施術の際には、平面状に展開されるので、分類整理されたまつ毛エクステンションの掴み上げを円滑に行うことが出来、まつ毛エクステンションの地まつ毛への固定作業の効率向上に資する効果を有する。  又、本体１４は紙製であるので、プラスチックゴミ低減化の要求にも応えることが出来、地球環境保全の面からも非常に有益である。
【産業上の利用可能性】
【００２７】
美容の分野において、大いに利用可能である。
【符号の説明】
【００２８】
１    本体基部
２    開口側側縁
３    収容部本体
４    長手方向側縁
５    側縁
６    収容部側片
７    側縁
９    蓋板
１１    側板
１２    鞘体
１３    まつ毛エクステンション
１４    本体
１６    ミシン目
１７    外側縁
１８    切り欠き
１９    舌片
【図１】
0003232162.tif 000003
【図２】
0003232162.tif 000004
【図３】
0003232162.tif 000005
【図４】
0003232162.tif 000006
【図５】
0003232162.tif 000007